(57)【特許請求の範囲】
【請求項１】
本体上面に設けられたトッププレートと、
本体後部に設けられ、上方に開口した吸気口と、
前記トッププレートの下方に設けた複数個の加熱コイルと、
該複数個の加熱コイルの駆動を制御するインバータ基板と、
前記吸気口から供給される冷却風を用いて、前記加熱コイルと前記基板を冷却するファンユニットと、
該ファンユニットよりも後方、かつ、前記吸気口よりも下方であって、前記ファンユニットの吸込口よりも上方に略垂直に設けられた、水切り板と、
該水切り板の後側壁面に設けられ、前記吸気口の前側壁面より後方側に突出した形状の樋状の受水部と、
前記水切り板の下部に設けられ、中央部から端部に向かうにつれ下方に向う曲線で構成されるテーパ部と、
を具備することを特徴とする誘導加熱調理器。
【請求項２】
請求項１に記載の誘導加熱調理器において、
前記樋状の受水部の端部には、該樋状の受水部から水を排水する排水部が設けられており、
前記樋状の受水部の幅は、前記ファンユニットの吸込口よりも長いことを特徴とする誘導加熱調理器。
【請求項３】
請求項２に記載の誘導加熱調理器において、
前記テーパ部の端部に、平板状の導水板を設けたことを特徴とする誘導加熱調理器。
【請求項４】
請求項１に記載の誘導加熱調理器において、
前記樋状の受水部は、中央が高く、端部が低くなるような底部形状であることを特徴とする誘導加熱調理器。
【請求項５】
請求項１に記載の誘導加熱調理器において、
前記樋状の水受け部の上方に、前記吸気口の前側壁面と連結し、下方に伸びたリブを設けたことを特徴とする誘導加熱調理器。
【発明の詳細な説明】
【技術分野】
【０００１】
本発明は、誘導加熱調理器に関するものである。
【背景技術】
【０００２】
近年、住宅用機器を全て電化するといった所謂、オール電化住宅の流れが顕著になりつつある。この一環として、加熱調理器として渦電流を利用して鍋そのものを発熱させる電磁誘導加熱調理器が見直されている。
【０００３】
この誘導加熱調理器は、加熱時には鍋だけでなく、誘導加熱コイルや誘導加熱コイルを制御する制御基板などからも発熱が生じるため、冷却ファンを用いて送風冷却することが一般的に行われている。
【０００４】
従来、誘導加熱調理器は、冷却用ファンとして軸流ファン，多翼ファンやターボファンを用いてトッププレートの吸気口から吸気した空気を、誘導加熱コイルの出力を制御する制御基板や、誘導加熱コイルに通風するものである。
【０００５】
このような誘導加熱調理器では、操作中に鍋の吹きこぼれや、鍋の倒れなどによって、トッププレートの吸気口に水が流れ込んでしまい、上述の冷却ファンを通じて制御基板や誘導加熱コイルに水滴が付着してしまい、電子部品の損傷を生じる課題がある。このため、冷却流路に防水構造を設ける必要がある。
【０００６】
従来から、ファンの種類に係らず、冷却流路には誘導加熱コイルや制御基板を保護するための防水構造を設置されている。こうした冷却流路の防水構造の例として特許文献１や特許文献２に開示された例がある。
【先行技術文献】
【特許文献】
【０００７】
【特許文献１】特開２００２−４３０４６号公報
【特許文献２】特開２００７−７３４５３号公報
【発明の概要】
【発明が解決しようとする課題】
【０００８】
特許文献１に記載された誘導加熱調理器は、冷却ファンは縦置き式の多翼ファンを用いており、本体の吸気口にルーバを設けることで冷却流路の防水構造を構成している。ルーバの傾斜は、本体後方の下方に向けて傾斜形状としているが、ルーバの配置がファン吸込口の直前にあることからルーバに水滴が付着した場合、ファンの吸引力によってはファン側に水滴が吸い込まれてしまい、制御基板に水滴が飛散するという課題がある。また、ルーバのような抵抗体をファン吸気流路に配置した場合、流路面積が狭小化して通風抵抗が増大してしまい、送風性能の低下や騒音増加などの課題もあった。
【０００９】
また、特許文献２に記載された誘導加熱調理器は、本体後方に吸込口を設けた冷却ファンの吸気流路において、ファン吸気流路のトッププレート側の流路壁面に、傾斜部を有する水切り部を配置した構成としている。これにより、吸気流路のトッププレート側壁面を伝って流れる水滴を水切り部によって、冷却ファンの吸込口から本体後方側に流し落とすことで、防水構造と成している。しかしながら、冷却ファンの吸引力が強い場合、水切り部によって本体後方側に流れ落ちる水滴がファンの吸引力によって吸込まれてしまい、冷却ファンの下流側に配置される制御基板や誘導加熱コイルに水滴が飛散して、電子部品の損傷を招く課題があった。
【００１０】
本発明の目的は、液体を冷却ファンに吸い込みにくい誘導加熱調理器を実現することにある。
【課題を解決するための手段】
【００１１】
上記課題は、本体上面に設けられたトッププレートと、本体後部に設けられ、上方に開口した吸気口と、前記トッププレートの下方に設けた複数個の加熱コイルと、該複数個の加熱コイルの駆動を制御するインバータ基板と、前記吸気口から供給される冷却風を用いて、前記加熱コイルと前記基板を冷却するファンユニットと、該ファンユニットよりも後方、かつ、前記吸気口よりも下方であって、前記ファンユニットの吸込口よりも上方に略垂直に設けられた、水切り板と、該水切り板の後側壁面に設けられ、前記吸気口の前側壁面より後方側に突出した形状の樋状の受水部と、前記水切り板の下部に設けられ、中央部から端部に向かうにつれ下方に向う曲線で構成されるテーパ部と、を具備する誘導加熱調理器によって解決される。  
【発明の効果】
【００１２】
本発明によれば、ファンの吸込口に流れ込む水滴を排除できるため、制御基板や誘導加熱コイルへの水滴付着による電子部品の損傷を防ぎ、誘導加熱調理器の信頼性を確保できる。
【図面の簡単な説明】
【００１３】
【図１】実施例１の誘導加熱調理器の外観斜視図。
【図２】実施例１の誘導加熱調理器の分解斜視図。
【図３】実施例１の誘導加熱調理器の側面断面図。
【図４】実施例１の水切り板１８の外観斜視図。
【図５】実施例１の吸気口１６からファンユニット１０までの流路を表した斜視図。
【図６】実施例２の水切り板１８の外観斜視図。
【図７】実施例３の水切り板１８の正面図。
【図８】実施例４の誘導加熱調理器の側面断面図。
【発明を実施するための形態】
【００１４】
本発明の実施の形態について、図面を用いて説明する。
【実施例１】
【００１５】
実施例１として、３つの誘導加熱部と、１つのグリルを備え、システムキッチンのようなキッチン家具に組み込まれて使用される誘導加熱調理器を説明する。
【００１６】
先ず、実施例１の誘導加熱調理器の全体構造について説明する。図１は、実施例１の誘導加熱調理器の外観斜視図である。ガラス製のトッププレート１は、本体２の上面に設けられ、鍋などの負荷を受ける。本体２の前面右側には操作部３を設けており、前面左側にはグリル４が設けられている。本体２の上面手前となる、トッププレート１の手前側には液晶パネル５が配置してあり、誘導加熱部の出力状態を液晶で表示し、使用者に加熱出力の強さを通知する。
【００１７】
図２は本実施例の誘導加熱調理器において、トッププレート１等を本体から取り外し、インバータ基板と誘導加熱コイルの実装を示した分解斜視図である。トッププレート１の下部には、右の誘導加熱部に対応した誘導加熱コイル６、左の誘導加熱部に対応した誘導加熱コイル７、中央後方の加熱部に対応した誘導加熱コイル８があり、高周波電流が流れることにより磁力線を発生し、負荷である鍋を加熱する。
【００１８】
図３は本実施例の誘導加熱調理器において、右側の誘導加熱コイル６のほぼ中央で切断した側面断面図である。ここに示すように、右の誘導加熱コイル６の下方には、本体２内部の各誘導加熱コイルに高周波電力を供給し制御するインバータ基板９と、冷却風を供給するファンユニット１０を収納した基板ケース１１を配置している。なお、図から明らかなように、基板ケース１１内部の前側には、各誘導加熱コイルに対応したインバータ基板９を積み重ねて配置している。また、基板ケース１１内部の後背部には、ターボファン（ファン１２）を備えたファンユニット１０が設けられていて、モータ１３で駆動されたファン１２により冷却風を送風する。
【００１９】
ファン１２を収めるファンユニット１０は、吸気口１４，複数個の開口から成る吐出口１５を備えている。本実施例では、吐出口１５は２つの開口として説明するが、電子基板や誘導加熱コイルの冷却に応じて、開口部の個数は何個設けても良い。また、本実施例では冷却ファンにターボファンを用いて説明しているが、ターボファンの替わりに軸流ファンや多翼ファンなどを用いても良い。
【００２０】
次に、図３中で矢印で示す冷却風の流れについて説明する。本体２の後部右側には、本体２内部への冷却風の入口である吸気口１６が設けられている。上方に開口した吸気口１６から吸気された冷却風は、ファンユニット１０の吸込口１４に導かれる。
【００２１】
ファンユニット１０の吸込口１４より取り込まれた空気は、ファンモータ１３の駆動によってファン１２が回転することで、ファン１２内で９０度流れの偏向した後、ファンユニット１０内でさらに９０度流れを偏向し、吐出口１５から吐き出される。このファンユニット１０から吹き出した冷却風が、インバータ基板９や各誘導加熱コイルを冷却する。インバータ基板９及び各誘導加熱コイルを冷却した冷却風は、本体２後部左側に設けられた排気口１７を抜けて外部に排出される。
【００２２】
なお、本実施例で説明するターボファン（ファン１２）は、ファン外径とファン内径とが、内径／外径０.４〜０.７の関係のものである。また、羽根の出口角度が１１０度以下のもので、羽根の枚数が１５枚以下のものである。
【００２３】
以上で説明した本実施例の誘導加熱調理器の使用方法を簡単に説明する。例えば、鍋を右の誘導加熱部上、すなわち右の誘導加熱コイル６上方のトッププレート１上に載置し、操作部３の電源スイッチをオンし、右の誘導加熱部に対応した出力調整を液晶パネル５で好みの出力に調節する。
【００２４】
このとき、インバータ基板９の制御部は、右の誘導加熱コイル６に高周波電流を流し、誘導加熱コイル６から磁力線を発生させ、鍋を加熱する。同時に、制御部はファン１２を駆動する。駆動したファン１２は、吸気口１６から外気を吸気して、冷却風をインバータ基板９及び各誘導加熱コイルに吹付け冷却する。その後、本体２の後部に設けられた排気口１７から外気に排気される。
【００２５】
次に、本実施例のファンユニット１０の吸気流路に設けた防水構造の詳細について説明する。図３に示すように、本実施例の誘導加熱調理器では、吸気口１６の下方、すなわち、冷却空気流の下流側に水切り板１８が設けられている。この水切り板１８の後側壁面には、樋状の受水部１９が設けられている。
【００２６】
水切り板１８の受水部１９の先端（後方側端部）は、吸気口１６の前側壁面より本体後方側に突出するように配置される。これにより、吸気口１６の前側壁面を伝って下方に流れる液体を受水部１９で受け取ることができる。なお、吸気口１６の開口幅をＬ１とし、受水部１９の先端と吸気流路の後側壁面の間隔をＬ２とした場合、これらの関係はＬ２＜Ｌ１となる。Ｌ２の間隔が短くなると受水性能は向上するが、吸気流路の通風抵抗が増加してしまい送風性能の低下ともに騒音増加の要因となることから、吸気口１６の流路断面積をＡ１、Ｌ２の吸気流路断面積をＡ２とした場合、０.５×Ａ１＜Ａ２とするのが望ましい。
【００２７】
図４は、水切り板１８の斜視図を示す。水切り板１８は、本体２の吸気口１６に向いて傾斜した樋状の受水部１９と、受水部１９の左右端部に設けられた排水部２０とを備えている。また、水切り板１８の下部には、中央から端部に向かうにつれ下方に向かう曲線で構成されるテーパ部２１を設けている。
【００２８】
図５は、吸気口１６からファンユニット１０までの流路を表した斜視図である。吸気口１６からファン１２の吸込口１４の流路において、トッププレート１側の上方流路壁面２２には、水切り板１８を設置している。また、ファン１２の吸気流路の底面には、排水口２３を設けており、本体外部と連通している。
【００２９】
ここで、本体２の内部に侵入する水の流れについて説明する。トッププレート１上に載置した鍋の転倒や吹きこぼれなどが原因で本体２の後方側に水が流れると、吸気口１６に水が浸入すると、浸入した水が流れる軌跡として、主に次の２通りが挙げられる。１つ目は、吸気口１６の後側壁面を伝って水が流下する場合であり、吸気口１６を通り抜けた大半の水が直接吸気流路の底部に着水する軌跡である。２つ目は、吸気口１６の前側壁面を伝って水が流下する場合であり、上方流路壁面２２を伝って、ファン１２の吸込口１４付近に水滴が落下してしまう可能性のある軌跡である。
【００３０】
２つ目の軌跡における防水構造について詳細に説明する。吸気口１６から浸入し、上方流路壁面２２を伝わって流れる水は、受水部１９に流れ込む。図４，図５で説明したように、受水部１９の左右端部には、排水部２０が設けられているので、受水部１９に流れ込んだ水の大部分は、排水部２０から下方に落下し、吸気流路の底部に着水する。また、受水部１９の下側に周り込んだ一部の水は、テーパ部２１に沿って流れ、水切り板１８の左右の端部に至る。テーパ部２１は左右の方向に下向きに傾斜しており、水はこの傾斜に沿って流れるので、テーパ部２１の略中央、すなわち、ファン１２の吸込口１４の近傍での水の落下は抑制され、テーパ部の左右端部に到達して、吸気流路の底部に着水する。吸気流路の底部に着水した水は本体２の排水口２３を通り抜けて本体外へ排水される。
【００３１】
また、水切り板１８の排水部２０の幅をファン１２の吸込口１４の開口より長くすることによって、ファン１２の直上部の左右にも水切り板１８を配置することができ、排水部２０から落下した水がファン１２に吸込まれることを抑制できる。
【００３２】
以上で説明したように、本実施例の誘導加熱調理器によれば、上方流路壁面２２を伝って浸入した水に対し、水切り板１８を配置することで、ファン１２の吸込口１４に吸込まれる水を抑制でき、ファン１２を通じてインバータ基板側へ飛散する水滴の浸入を防止できることから、水滴の付着による電子部品の損傷を防げ、電子基板や誘導加熱コイルの信頼性を確保できる。
【実施例２】
【００３３】
本発明の実施例２について、図６を使用して説明する。なお、実施例１と共通する点については説明を省略することとする。
【００３４】
実施例２の誘導加熱調理器では、図４で示した水切り板１８に代え、図６に示す水切り板１８を用いるものであり、図６は、水切り板１８の左右両端の下部に平板状の導水板２４を設置した外観を示している。
【００３５】
本実施例の水切り板１８は、本体２の吸気口１６に向いて傾斜した樋状の受水部１９と、受水部１９の左右端部は水切り板１８の左右側面の端部を離して形成した排水部２０を左右に設けている。排水部２０の下方には、本体２の底部に伸びた導水板２４を設けている。受水部１９の下部には、左右の方向に下方に向けて傾斜したテーパ部２１を設けている。排水部２０と下部とテーパ部の端部は吸気流路の底部に延びた導水板２４に接続した構成としている。
【００３６】
以上の構成により、吸気口１６から浸入した水に対する防水構造について説明する。吸気口１６から浸入し、上方流路壁面２２を伝わって流れる水は受水部１９に流れ込み、水切り板１８の左右側面の排水部２０に分かれて流れる。排水部２０の水は、導水板２４を沿って流れることで吸気流路の底部に導かれ、底部に着水する。また、受水部１９の下方に周り込んだ水は、受水部１９下部のテーパ部２１に沿って流れる。テーパ部２１は左右の後方に下向きに傾斜しており、傾斜に沿って水が流れることでテーパ部２１の左右端部に到達し、引き続き導水板２４に沿って流れることで吸気流路の底部に導かれ、底部に着水する。吸気流路の底部着水した水は本体２の排水口２３を通り抜けて本体外へ排水される。
【００３７】
従って、ファン１２の吸込口１４の左右近傍に流れ落ちる水を、導水板２４を伝わらせて、確実に吸気流路の底部に着水させることにより、流路空間を落下中にファン１２の吸引力によって吸込まれる水を排除できる。
【００３８】
以上の流路構造により、実施例１と同様に、ファンユニット１０に吸い込まれる水を抑制することができる。
【実施例３】
【００３９】
本発明の実施例３について、図７を使用して説明する。なお、実施例１と共通する点については説明を省略することとする。
【００４０】
実施例３の誘導加熱調理器では、図４で示した水切り板１８に代え、図７に示す水切り板１８を用いるものであり、図７は、水切り板１８の正面に受水部２５を設置した外観を示している。
【００４１】
水切り板１８は、本体２の吸気口１６に向いて傾斜した樋状の受水部２５を設置しており、受水部２５は中央付近から下側に向けて左右の方向に傾斜したテーパ部２５ａを設けている。受水部２５の左右端部は水切り板１８の左右側面の端部を離して形成した排水部２０を設けている。受水部２５の下部には、左右の方向に下方に向けて傾斜したテーパ部２１を設けている。
【００４２】
本実施例では先の実施例２で述べた導水板２４を排除した例で実施例を説明するが、導水板２４を配置しても良い。
【００４３】
以上の構成により、吸気口１６から浸入した水に対する防水構造について説明する。吸気口１６から浸入し、上方流路壁面２２を伝わって流れる水は受水部２５に流れ込む。受水部２５でせき止めた水はテーパ部２５ａの傾斜に沿って、水切り板１８の左右側面の排水部２０に速やかに分かれて流れる。排水部２０の水は、水切り板１８から落下して底部に着水する。また、受水部２５の下方に周り込んだ水は、受水部２５下部のテーパ部２１に沿って流れる。テーパ部２１は左右方向に下向きに傾斜しており、傾斜に沿って水が流れることでテーパ部２１の左右端部に到達して、水切り板１８から落下して底部に着水する。吸気流路の底部着水した水は本体２の排水口２３を通り抜けて本体外へ排水される。
【００４４】
従って、水切り板１８の受水部２５にテーパ部２５ａの傾斜面を設けることで、受水部２５から水が速やかに排水部へ流れ落ちることから、水切り板２８の排水量が増加することになる。
【００４５】
なお、以上の説明では、左右の受水部２５自体を傾斜させる構成としたが、図４に図示した如き受水部を採用し、受水部の底部のうち、中央が高く、端部が低くなるような形状としても良い。
【００４６】
以上の流路構造により、実施例１と同様に、ファンユニット１０に吸い込まれる水を抑制することができる。
【実施例４】
【００４７】
本発明の実施例４について、図８を使用して説明する。なお、実施例１と共通する点については説明を省略することとする。
【００４８】
実施例４の誘導加熱調理器では、図３で示した構成に加え、水受け部１９の上方に、吸気口１６の前側壁面と連結したリブ２６を設けたものである。なお、本実施例では、実施例１で述べた水切り板１８を配置した例で説明するが、実施例２，３で説明した水切り板を配置した例に対し本実施例のリブ２６を組み合わせて用いても良い。
【００４９】
吸気口１６からファン１２の吸込口１４の流路において、トッププレート１側の上方流路壁面２２には、水切り板１８を設置している。水切り板２２の上流側近傍の上方吸気流路壁面２２には、下方に向けて伸びたリブ２６を設けた構造である。リブ２６以外は実施例１で述べた図３と同様の構造である。水切り板１８を上方吸気流路２２に設置する場合、ネジ止めなどの支持で固定するが、この場合に水切り板１８と上方吸気流路２２の接触面に隙間を生じ、この隙間を通じて水がファンユニット１０側へ流れ込み、ファン１２の吸込口１４に水が浸入する恐れがある。
【００５０】
本実施例の構成により、吸気口１６から浸入し、上方流路壁面２２を伝わって流れる水をリブ２６に沿って受水部２５に流れ落とす。リブ２６の設置により上方吸気流路２２と水切り板１８との接触面を塞ぎ、水の浸入を防止できる。リブ２６により受水部２５に流れ落ちた水は、先の実施例で述べたよう吸気流路の底部に導くことで、ファン１２の吸込口１４に流れる水を排除できる。
【００５１】
以上の流路構造により、実施例１と同様にインバータ基板，誘導加熱コイルの防水効果が得られる。
【符号の説明】
【００５２】
１  トッププレート
２  本体
６，７，８  誘導加熱コイル
１０  ファンユニット
１２  ファン
１６  吸気口
１８  水切り板
１９  受水部
２０  排水部
２１  テーパ部
２４  導水板
【図１】
0005492675.tif 000002
【図２】
0005492675.tif 000003
【図３】
0005492675.tif 000004
【図４】
0005492675.tif 000005
【図５】
0005492675.tif 000006
【図６】
0005492675.tif 000007
【図７】
0005492675.tif 000008
【図８】
0005492675.tif 000009